(57)【要約】  本発明は、育児を補助するための育児補助器具に関するものである。本発明は、嬰・乳児の上体を支持する上体支持部と、嬰・乳児の足を広げた状態で嬰・乳児の下体を支持する下体支持部と、前記上体支持部と下体支持部を連結する支持台とを含むことを特徴とする育児補助器具を提示することによって、嬰・乳児を足を広げた姿勢で立たせておき、おむつを取り替えたり、服を着せたり、お尻を洗浄するなどの育児を容易に行えるようにする。
2012533397.tif 000002
【特許請求の範囲】
【請求項１】
嬰・乳児の上体を支持する上体支持部と、
嬰・乳児の足を広げた状態で嬰・乳児の下体を支持する下体支持部と、
前記上体支持部と下体支持部を連結する支持台と、
を含むことを特徴とする育児補助器具。
【請求項２】
前記上体支持部は、嬰・乳児の両脇にそれぞれ挟まれるように互いに所定間隔だけ離隔した一対の肱掛けを含むことを特徴とする、請求項１に記載の育児補助器具。
【請求項３】
前記肱掛けは、前記支持台の反対側端が上側に向かって折り曲げられて形成されたことを特徴とする、請求項２に記載の育児補助器具。
【請求項４】
前記肱掛けは、少なくとも一部が下側に向かって膨らんだ曲線状に形成されたことを特徴とする、請求項２に記載の育児補助器具。
【請求項５】
前記一対の肱掛けは、前記一対の肱掛け間に据え置かれた嬰・乳児を包むように互いに向かって折り曲げられて形成されたことを特徴とする、請求項２に記載の育児補助器具。
【請求項６】
前記上体支持部は、前記一対の肱掛けが前記支持台から所定距離だけ離隔するように前記一対の肱掛けと前記支持台との間に備えられる連結部をさらに含むことを特徴とする、請求項１に記載の育児補助器具。
【請求項７】
前記上体支持部は、前記支持台と着脱可能に結合されたことを特徴とする、請求項１に記載の育児補助器具。
【請求項８】
前記下体支持部は、嬰・乳児の足を広げた状態で支持できるように互いに所定間隔だけ離隔し、それぞれ嬰・乳児の足が挿入される一対の足乗せ部を含むことを特徴とする、請求項１に記載の育児補助器具。
【請求項９】
前記一対の足乗せ部は、前記支持台に連結された支え台に形成された溝からなることを特徴とする、請求項８に記載の育児補助器具。
【請求項１０】
前記下体支持部は、底面に滑り止めのための滑り防止部材が備えられたことを特徴とする、請求項１に記載の育児補助器具。
【請求項１１】
前記支持台は、高さを調節できるように構成されたことを特徴とする、請求項１〜１０のうちいずれか１項に記載の育児補助器具。
【請求項１２】
前記支持台及び上体支持部のうち少なくともいずれか一つに設置されたクリップを含むことを特徴とする、請求項１〜１０のうちいずれか１項に記載の育児補助器具。
【請求項１３】
前記クリップは、前記上体支持部又は前記支持台の内部に挿入されたり、前記上体支持部又は前記支持台から突出するように移動可能に設置されたことを特徴とする、請求項１２に記載の育児補助器具。
【発明の詳細な説明】
【技術分野】
【０００１】
本発明は、育児を補助するための育児補助器具に関するものである。
【背景技術】
【０００２】
今までは、嬰・乳児のおむつを取り替えるとき、嬰・乳児を横たえることが一般的であった。しかし、このように嬰・乳児を横たえた状態でおむつを取り替える場合、嬰・乳児が手足をバタバタ動かすことが多く、足をつかんだ状態でお尻を上げておむつを取り替えなければならないので、排泄物が腰側に流れ落ちたり、おむつの外側に漏れ出ることが多い。また、おむつを取り替える人は嬰・乳児の身体の一部をつかんでいなければならなく、両手が自由でないので、おむつを取り替えることがより一層困難であった。
【０００３】
上述したように、おむつを取り替えるときだけでなく、嬰・乳児の下衣などを着せたり脱がすとき、嬰・乳児の下体などを洗うとき、あんよさせるとき、離乳食を食べさせるときなどの育児の多くの状況で育児を補助可能な方案に対する必要性が提起されている。
【発明の概要】
【発明が解決しようとする課題】
【０００４】
本発明は、前記のような問題を解決するためになされたものであって、嬰・乳児を足を広げた姿勢で立たせることのできる育児補助器具を提供することを目的とする。
【課題を解決するための手段】
【０００５】
前記のような課題を解決するために、本発明は、嬰・乳児の上体を支持する上体支持部と、嬰・乳児の足を広げた状態で嬰・乳児の下体を支持する下体支持部と、前記上体支持部と下体支持部を連結する支持台とを含むことを特徴とする育児補助器具を提示する。
【０００６】
前記上体支持部は、嬰・乳児の両脇にそれぞれ挟まれるように互いに所定間隔だけ離隔した一対の肱掛けを含むことができる。
【０００７】
前記肱掛けは、前記支持台の反対側端を上側に向かって折り曲げて形成することができる。
【０００８】
前記肱掛けは、少なくとも一部を下側に向かって膨らんだ曲線状に形成することができる。
【０００９】
前記一対の肱掛けは、前記一対の肱掛け間に据え置かれた嬰・乳児を包むように互いに向かって折り曲げて形成することができる。
【００１０】
前記上体支持部は、前記一対の肱掛けが前記支持台から所定距離だけ離隔するように前記一対の肱掛けと前記支持台との間に備えられる連結部をさらに含むことができる。
【００１１】
前記上体支持部は、前記支持台と着脱可能に結合することができる。
【００１２】
前記下体支持部は、嬰・乳児の足を広げた状態で支持できるように互いに所定間隔だけ離隔し、それぞれ嬰・乳児の足が挿入される一対の足乗せ部を含むことができる。
【００１３】
前記一対の足乗せ部は、前記支持台に連結された支え台に形成された溝からなり得る。
【００１４】
前記下体支持部は、底面に滑り止めのための滑り防止部材を備えることができる。
【００１５】
前記支持台は、高さを調節できるように構成することができる。
【００１６】
前記支持台にはクリップを設置することができる。
【００１７】
前記クリップは、前記上体支持部又は前記支持台の内部に挿入されたり、前記上体支持部又は前記支持台から突出するように移動可能に設置することができる。
【発明の効果】
【００１８】
本発明に係る育児補助器具は、嬰・乳児が足を広げた姿勢で立つように支持することができる。したがって、おむつを取り替えたり、服を着せ替えたり、お尻などを洗浄するときなどの育児の多様な状況で、嬰・乳児の世話をする人が嬰・乳児をつかむ必要がないので、両手を自由に使用することができる。また、嬰・乳児を横たえようとするときに生じる嬰・乳児の抵抗がないので、容易に育児をすることができる。また、おむつを取り替えたり、お尻などを洗浄するとき、排泄物や汚染物が腰側に流れ落ちることを防止することができ、より衛生的に育児をすることができる。
【図面の簡単な説明】
【００１９】
【図１】本発明に係る育児補助器具の斜視図である。
【図２】図１の側面図である。
【図３】図２の「Ａ」部分の拡大図である。
【図４】図１の平面図である。
【図５】図１の底面図である。
【図６】図１の高さ調節の一例を示す斜視図である。
【図７】図６の一部切開側面図である。
【図８】ワンタッチボタン方式のクリップの動作を示す一部切開側面図である。
【図９】ワンタッチボタン方式のクリップの動作を示す一部切開側面図である。
【発明を実施するための形態】
【００２０】
以下、添付の図面を参照して本発明の実施例について詳細に説明する。
【００２１】
図１以下の各図面に示したように、本発明に係る育児補助器具は、嬰・乳児２の上体を支持する上体支持部１０と、嬰・乳児２の足を広げた状態で嬰・乳児２の下体を支持する下体支持部２０と、上体支持部１０と下体支持部２０を連結する支持台３０とを含むことができる。
【００２２】
上体支持部１０は、嬰・乳児２の上体を支持可能であれば如何なる構造であってもよい。
【００２３】
ただし、上体支持部１０は、嬰・乳児２の両脇にそれぞれ挟まれるように互いに所定間隔だけ離隔した一対の肱掛け１２を含むことがより有利である。すなわち、一対の肱掛け１２によって嬰・乳児２の上体を支持することによって、構造的に簡素化できるとともに、嬰・乳児２が上体を動かすことを確実に防止することができる。また、一対の肱掛け１２が嬰・乳児２の全身を取り囲んでいないので、嬰・乳児２が自分を拘束するという大きな拒否感を感じることなく、嬰・乳児２を楽に支えることができる。また、一対の肱掛け１２間はある程度の遊動が可能な空間であるので、嬰・乳児２を大きく圧迫することがなく、本発明に係る育児補助器具に嬰・乳児２を立たせたり、本発明に係る育児補助器具から嬰・乳児２を降ろすことが容易である。
【００２４】
特に、肱掛け１２は、支持台３０の反対側端１２Ａを図１及び図２の「矢印Ｂ」の方向に上側に向かって折り曲げて形成することができる。したがって、嬰・乳児２の上体を肱掛け１２の端１２Ａに係止可能であるので、嬰・乳児２の上体が一対の肱掛け１２間の空間を通して抜けることを防止することができる。ここで、より望ましくは、肱掛け１２が嬰・乳児２に柔らかく接触するように、肱掛け１２は、少なくとも一部を下側に向かって膨らんだ曲線状に形成することができる。
【００２５】
また、一対の肱掛け１２は、一対の肱掛け１２間に据え置かれた嬰・乳児２を包むように図４の「矢印Ｃ」及び「矢印Ｄ」の方向に互いに向かって折り曲げて形成することによって、嬰・乳児２が一対の肱掛け１２間の空間を通して抜けることを防止することができる。また、より望ましくは、肱掛け１２が嬰・乳児２に柔らかく接触するように、肱掛け１２は、互いに向かって曲線状に折り曲げることができる。
【００２６】
一方、上体支持部１０は、一対の肱掛け１２が支持台３０から所定距離Ｇだけ離隔するように一対の肱掛け１２と支持台３０との間に備えられる連結部１４をさらに含むことができる。したがって、一対の肱掛け１２と支持台３０との間の所定距離によって嬰・乳児２と支持台３０との間の空間を容易に確保することができる。これによって、育児の世話をする人が嬰・乳児２の後ろに手を回して容易におむつ４を取り替えたり、服を着せたり、お尻を洗うことができる。また、嬰・乳児２の身体が支持台３０に接触することを防止できるので、嬰・乳児２の拒否感をなくすことができ、清潔側面でより有利である。
【００２７】
このような上体支持部１０は、維持補修や色、デザイン、大きさ変更などのために取り替えられるように支持台３０と着脱可能に結合することができる。ここで、上体支持部１０を支持台３０と着脱可能に結合するための構造が特定構造に限定されることはなく、二つの部材をボルト３６やピンの締結などによって着脱可能に結合することが広く知られているので、これについての詳細な説明は省略する。
【００２８】
次に、下体支持部２０は、嬰・乳児２の足を広げた姿勢で下体を支持可能であれば如何なる構造であってもよい。
【００２９】
ただし、下体支持部２０は、嬰・乳児２の足を広げた状態で支持できるように互いに所定間隔だけ離隔し、それぞれ嬰・乳児２の足が挿入される一対の足乗せ部２２を含んでいるので、構造的に簡素化できるとともに、容易に嬰・乳児２の足を広げられるという点などでより有利である。
【００３０】
前記一対の足乗せ部２２は、嬰・乳児２の足が挿入され得るなら如何なる構造であってもよく、望ましくは、床に置かれるように支持台３０の下端に連結された支え台２４に形成された溝２２Ａからなることによって、構造的に簡素化することができる。ここで、支え台２４は、図示したように略楕円状に形成することができ、必ずしもこれに限定されることはなく、四角形、円形は勿論で、コ字状のように一対の足乗せ部２２に対応して二つの部分に分かれた形状などに形成することもできる。
【００３１】
このような下体支持部２０には、嬰・幼児の洗浄時などに使用した水の排水及び乾燥を容易にするために排水穴を形成することができる。
【００３２】
一方、下体支持部２０は、底面に滑り止めのための滑り防止部材２６を備えることができる。したがって、滑り防止部材２６による下体支持部２０と床との間の摩擦抵抗によって本発明に係る育児補助器具の滑りを防止することができ、これによって、本発明に係る育児補助器具をより安全に使用することができる。滑り防止部材２６は、摩擦抵抗によって滑りを防止する役割を行えるなら如何なる構造、素材であってもよく、一例として、ゴム車輪を提示することができる。
【００３３】
次に、支持台３０は、上体支持部１０と下体支持部２０を一体に連結するためのものであって、上体支持部１０と下体支持部２０の中間部に一つの柱形状に連結したり、上体支持部１０と下体支持部２０の各縁部に二つの柱形状に連結することができ、多様な実施が可能である。
【００３４】
特に、支持台３０は、上下に高さを調節できるように構成されることによって、それぞれの嬰・乳児２に身長の差がある場合にも、身長に合わせて上下の高さを調整して使用することができる。ここで、支持台３０の高さ調節構造は、多様な実施が可能である。例えば、図示したように、支持台３０は、上体支持部１０と連結された上側支持台３２と、下体支持部２０と連結され、上側支持台３２とボルト３６によって着脱可能に結合される下側支持台３４とを含み、上側支持台３２及び下側支持台３４のうちいずれか一つに上下方向に沿ってボルト３６が締結される複数の締結ホール３２Ａを形成し、残りの一つに複数の締結ホール３２Ａに対応してボルト３６が締結される一つの締結ホール３４Ａを形成することができる。したがって、ボルト３６が複数の締結ホール３２Ａのうちいずれに締結されるかによって上体支持台３２と下側支持台３４との間の結合位置を上下に変えることができ、これによって支持台３０の高さ調節が可能である。
【００３５】
一方、本発明に係る育児補助器具は、支持台３０及び上体支持部１０の底面のうち少なくともいずれか一つに設置されたクリップ４０をさらに含むことができる。したがって、おむつ４、服、洗浄道具などをクリップ４０に挟んで容易に使用することができる。例えば、おむつ４を取り替える場合、おむつ４、特に、おむつ４の腰バンドを予めクリップ４０に挟んでおき、本発明に係る乳児補助器具に嬰・乳児２を立たせた状態でおむつ４を着けた後、最後に、クリップ４０からおむつ４の腰バンド部分を外すことによって、容易におむつ４を取り替えることができる。
【００３６】
このようなクリップ４０は、多様な構造及び方式が可能である。特に、ワンタッチボタン方式などにより、図８に示すように、クリップ４０を使用するときは、ボタンＢの自動又は手動押下によってクリップ４０を前記上体支持部１０又は前記支持台３０に形成されたホールｈを通して前記上体支持部１０又は前記支持台３０から突出するように移動させ、図９に示すように、クリップ４０を使用しないときは、ボタンＢの自動又は手動操作による復帰によって前記上体支持部１０又は前記支持台３０に形成されたホールｈを通して前記上体支持部１０又は前記支持台３０の内部に挿入されるように移動させて隠すことができる。また、クリップ４０を使用しないときは、トグルスイッチ（ｔｏｇｇｌｅ  ｓｗｉｔｃｈ）方式などにより、クリップ４０を回動させて上体支持部１０の底面や支持台３０に密着させることができる。また、クリップ４０を上体支持部１０又は支持台３０に着脱可能に構成し、クリップ４０を使用しないときは、クリップ４０を取り外すことができる。その他にも多様な方式で、クリップ４０を使用しないときに突出したクリップ４０によって嬰・幼児や嬰・幼児の世話をする人が怪我することを防止することができる。
【００３７】
このような本発明に係る育児補助器具は、プラスチックなどの多様な素材で形成することができ、特に、嬰・幼児の肌が直接的に接触するので、抗菌及び防汚（すなわち、汚染防止）性に優れた素材で形成することができる。また、本発明に係る育児補助器具は、嬰・幼児の洗浄時などに水を使用できるので、これに備えて防水性に優れた素材で形成することができる。
【００３８】
また、本発明に係る育児補助器具は、上述した構造的特徴を有するとともに、多様なデザインで形成することができる。特に、本発明に係る育児補助器具は、嬰・幼児を据え置くとき、嬰・幼児の体重に十分に耐えられるとともに、嬰・幼児の動きによる転覆、転倒に対して安定的であり、嬰・幼児の据え置き状態で育児補助器具を安定的に持ち上げて移動できると同時に、嬰・幼児のストレスを最小化できる人間工学的なデザインで形成することができる。
【００３９】
以上では、本発明の好適な実施例を例示的に説明したが、本発明の範囲は、このような特定実施例のみに限定されるものではなく、特許請求の範囲に記載した範疇内で適宜変更可能である。
【図１】
2012533397.tif 000003
【図２】
2012533397.tif 000004
【図３】
2012533397.tif 000005
【図４】
2012533397.tif 000006
【図５】
2012533397.tif 000007
【図６】
2012533397.tif 000008
【図７】
2012533397.tif 000009
【図８】
2012533397.tif 000010
【図９】
2012533397.tif 000011
【国際調査報告】
2012533397.tif 000012
2012533397.tif 000013
2012533397.tif 000014
2012533397.tif 000015